(57)【要約】【課題】通学定期券をスムーズに購入することができると共に、駅務の負荷を低減することができる駅務システム、サーバ装置、駅務処理方法、およびプログラムを提供することである。【解決手段】実施形態の駅務システムは、券売機と、有効化手段と、自動改札機とを持つ。前記券売機は、通学定期として利用可能な効力が有効でない暫定定期券を発行する。前記有効化手段は、前記暫定定期券を利用する利用者によって入力された通学証明に関する第１情報と、前記利用者の通学を証明する証明者によって入力された前記通学証明に関する第２情報との照合結果に基づいて、前記暫定定期券の前記効力を有効にする。前記自動改札機は、前記有効化手段により前記効力が有効にされた前記暫定定期券が翳された場合、前記暫定定期券を翳した利用者の通過を許可する。【選択図】図１
2020042556.tif 000002
【特許請求の範囲】
【請求項１】
通学定期として利用可能な効力が有効でない暫定定期券を発行する券売機と、
前記暫定定期券を利用する利用者によって入力された通学証明に関する第１情報と、前記利用者の通学を証明する証明者によって入力された前記通学証明に関する第２情報との照合結果に基づいて、前記暫定定期券の前記効力を有効にする有効化手段と、
前記有効化手段により前記効力が有効にされた前記暫定定期券が翳された場合、前記暫定定期券を翳した利用者の通過を許可する自動改札機と、
を備える駅務システム。
【請求項２】
前記自動改札機は、更に、前記有効化手段により、前記暫定定期券の前記効力が有効にされた場合に、前記暫定定期券が翳された場合、前記暫定定期券の前記効力を書き換えて前記通学定期に更新する、
請求項１に記載の駅務システム。
【請求項３】
前記自動改札機は、更に、前記有効化手段により、前記暫定定期券の前記効力を有効にされなかった場合に、前記暫定定期券が翳された場合、前記暫定定期券にチャージされた電子マネーの金額に応じて、前記暫定定期券を翳した利用者の通過可否を決定する、
請求項１または２に記載の駅務システム。
【請求項４】
前記暫定定期券を利用する利用者の端末装置および前記証明者の端末装置と通信する通信部と、
前記通信部を制御して、前記暫定定期券を利用する利用者の端末装置から前記第１情報を受信し、前記受信した前記第１情報を前記証明者の端末装置に送信し、前記証明者によって照合された前記第１情報と前記第２情報との照合結果を前記証明者の端末装置から受信する通信制御部と、を更に備え、
前記有効化手段は、前記通信制御部によって受信された前記照合結果に基づいて、前記暫定定期券の前記効力を有効にする、
請求項１から３のうちいずれか１項に記載の駅務システム。
【請求項５】
前記暫定定期券を利用する利用者の端末装置および前記証明者の端末装置と通信する通信部と、
前記通信部を制御して、前記暫定定期券を利用する利用者の端末装置から前記第１情報を受信し、前記証明者の端末装置から前記第２情報を受信する通信制御部と、を更に備え、
前記有効化手段は、
前記通信制御部によって受信された前記第１情報と前記第２情報とを照合し、
前記照合した前記第１情報と前記第２情報との照合結果に基づいて、前記暫定定期券の前記効力を有効にする、
請求項１から３のうちいずれか１項に記載の駅務システム。
【請求項６】
自動改札機と通信する通信部と、
券売機により発行された暫定定期券であって、通学定期として利用可能な効力が有効でない暫定定期券を利用する利用者によって入力された通学証明に関する第１情報と、前記利用者の通学を証明する証明者によって入力された前記通学証明に関する第２情報との照合結果に基づいて、前記暫定定期券の前記効力を有効にする有効化手段と、
前記有効化手段による処理結果を、前記通信部を介して前記自動改札機に送信する通信制御部と、
を備えるサーバ装置。
【請求項７】
券売機が、通学定期として利用可能な効力が有効でない暫定定期券を発行し、
有効化手段が、前記暫定定期券を利用する利用者によって入力された通学証明に関する第１情報と、前記利用者の通学を証明する証明者によって入力された前記通学証明に関する第２情報との照合結果に基づいて、前記暫定定期券の前記効力を有効にし、
自動改札機が、前記有効化手段により前記効力が有効にされた前記暫定定期券が翳された場合、前記暫定定期券を翳した利用者の通過を許可する、
駅務処理方法。
【請求項８】
自動改札機と通信する通信部を備えるコンピュータに、
券売機により発行された暫定定期券であって、通学定期として利用可能な効力が有効でない暫定定期券を利用する利用者によって入力された通学証明に関する第１情報と、前記利用者の通学を証明する証明者によって入力された前記通学証明に関する第２情報との照合結果に基づいて、前記暫定定期券の前記効力を有効にする処理と、
前記暫定定期券の前記効力を有効にした結果を、前記通信部を介して前記自動改札機に送信する処理と、
を実行させるためのプログラム。
【発明の詳細な説明】
【技術分野】
【０００１】
本発明の実施形態は、駅務システム、サーバ装置、駅務処理方法、およびプログラムに関する。
【背景技術】
【０００２】
従来、通学定期券の購入に必要な情報を基にして、定期券としての効力がない暫定的な通学定期券を発行する定期券発行装置が知られている。定期券発行装置によって暫定的な通学定期券が発行されると、学生などは、その暫定的な通学定期券と通学証明書とを駅員に提示し、両者を駅員に確認してもらうことで、暫定的な通学定期券を、定期券としての効力をもつ正規の通学定期券に上書きしてもらっている。
【０００３】
しかしながら、従来の技術では、通学定期券の購入する際に通学証明書などを駅員に提示する必要があることから、通学定期券の購入需要が増加しやすい春先などに、通学定期券を購入するために駅の窓口に多数の学生が押し寄せる場合があった。この結果、駅の窓口に多数の人が列をなし、駅構内が混雑したり、駅員の業務が通常よりも逼迫したりすることで、通学定期券をスムーズに購入することができない場合があった。
【先行技術文献】
【特許文献】
【０００４】
【特許文献１】特開２００３−３４６１９４号公報
【発明の概要】
【発明が解決しようとする課題】
【０００５】
本発明が解決しようとする課題は、通学定期券をスムーズに購入することができると共に、駅務の負荷を低減することができる駅務システム、サーバ装置、駅務処理方法、およびプログラムを提供することである。
【課題を解決するための手段】
【０００６】
実施形態の駅務システムは、券売機と、有効化手段と、自動改札機とを持つ。前記券売機は、通学定期として利用可能な効力が有効でない暫定定期券を発行する。前記有効化手段は、前記暫定定期券を利用する利用者によって入力された通学証明に関する第１情報と、前記利用者の通学を証明する証明者によって入力された前記通学証明に関する第２情報との照合結果に基づいて、前記暫定定期券の前記効力を有効にする。前記自動改札機は、前記有効化手段により前記効力が有効にされた前記暫定定期券が翳された場合、前記暫定定期券を翳した利用者の通過を許可する。
【図面の簡単な説明】
【０００７】
【図１】実施形態の駅務システム１の構成の一例を示す図。
【図２】実施形態の券売機１００の構成の一例を示す図。
【図３】実施形態の自動改札機２００を上方から見た図。
【図４】実施形態における自動改札機２００の機能構成の一例を示す図。
【図５】実施形態のサーバ装置５００の構成の一例を示す図。
【図６】実施形態の駅務システム１の処理の流れの一例を示すシーケンス図。
【図７】サーバ装置５００の一連の処理の流れを示すフローチャート。
【図８】入力フォームの一例を示す図。
【図９】入力フォームの一例を示す図。
【図１０】情報確認ページの一例を示す図。
【図１１】情報確定ページの一例を示す図。
【図１２】自動改札機２００の一連の処理の流れを示すフローチャート。
【発明を実施するための形態】
【０００８】
以下、実施形態の駅務システム、サーバ装置、駅務処理方法、およびプログラムを、図面を参照して説明する。
【０００９】
図１は、実施形態の駅務システム１の構成の一例を示す図である。駅務システム１は、鉄道の駅における入出場の管理を行うシステムである。駅務システム１は、例えば、一以上の券売機１００と、一以上の自動改札機２００と、一以上の通学者側端末装置３００と、一以上の学校側端末装置４００と、サーバ装置５００とを備える。これらの装置は、ネットワークＮＷを介して通信する。ネットワークＮＷは、例えば、インターネットやＬＡＮ（Local Area Network）、ＷＡＮ（Wide Area Network）等を含むネットワークである。
【００１０】
券売機１００は、例えば、駅の構内に設けられ、乗車券を発行する。乗車券は、例えば、ＩＣチップ等の電子部品が埋設されたＩＣカード１０や、券の表面あるいは裏面に磁気記録面を有する磁気券などを含む。本実施形態では、一例として、乗車券がＩＣカード１０であるものとして説明する。
【００１１】
自動改札機２００は、例えば、駅の改札口に複数台設けられる。自動改札機２００は、券売機１００により発行されたＩＣカード１０から情報を読み取ることによって、利用者の入出場を制限する。ＩＣカード１０には、乗車券情報が記憶される。乗車券情報は、例えば、ＩＣカードを識別するカード識別情報や、個人情報、効力情報などが記憶される。効力情報には、例えば、入場駅（発駅）の識別情報、乗車時刻、駅構内からの出場或いは駅構内への入場を示す入出場コード、電子マネーの残高等が含まれる。また、ＩＣカード１０が通学定期券のような定期乗車券である場合、効力情報には、上述した各種情報に加えて、或いは代えて、定期券の有効期間や、定期券の利用区間等が含まれてよい。
【００１２】
通学者側端末装置３００は、例えば、学校などに通う生徒が利用可能な端末装置である。通学者側端末装置３００は、例えば、スマートフォンやデスクトップ型のコンピュータであってよい。
【００１３】
学校側端末装置４００は、例えば、通学者側端末装置３００を利用可能な生徒が通学する学校の教員などが利用可能な端末装置である。学校側端末装置４００は、通学者側端末装置３００と同様に、例えば、スマートフォンやデスクトップ型のコンピュータであってよい。学校の教員は、「証明者」の一例である。
【００１４】
サーバ装置５００は、例えば、ネットワークＮＷを介して自動改札機２００や通学者側端末装置３００、学校側端末装置４００と通信を行い、各装置から取得した情報を処理する。
【００１５】
以下、実施形態の券売機１００について説明する。図２は、実施形態の券売機１００の構成の一例を示す図である。券売機１００は、例えば、タッチパネル部１１０と、カード挿入口１２０と、紙幣投入口１２２と、硬貨投入口１２４と、乗車券排出口１２６と、釣銭排出口１２８と、リーダライタ１３０と、エンコード／デコード部１３２と、検銭部１３４と、乗車券発行部１３６と、釣銭部１３８と、券売機側通信部１４０と、券売機側制御部１５０と、券売機側記憶部１７０とを備える。
【００１６】
タッチパネル部１１０は、例えば、表示部１１２と、受付部１１４とを備える。表示部１１２は、券売機側制御部１５０によって出力される情報に基づいて、利用者に乗車券を購入させるための画像、ＩＣカードの発行または再発行の登録を行うための画像等の各種画像を表示する。表示部１１２は、例えば、ＬＣＤ（Liquid Crystal Display）や有機ＥＬ（Electro Luminescence）ディスプレイ等の表示装置を含む。なお、表示部１１２には、音声を出力するスピーカ等を設けてもよく、表示部１１２に表示される内容に対応した音声を出力してもよい。
【００１７】
受付部１１４は、利用者からの入力操作を受け付ける。受付部１１４は、例えば、ボタン、キーボード、マウス、マイク等のユーザインターフェースを含んでよい。なお、表示部１１２がタッチパネルである場合、受付部１１４は、表示部１１２と一体として形成される。この場合、表示部１１２の画面は、ＧＵＩ（Graphical User Interface）として機能してよい。
【００１８】
カード挿入口１２０には、ＩＣカード１０が挿入される。ＩＣカード１０は、カード挿入口１２０に、電子マネーをチャージするために挿入されたり、定期券の利用区間や利用期間（有効期間）を更新するために挿入されたり、障害発生時に、ＩＣチップに記憶されたカード識別情報や個人情報、効力情報等を抽出するために挿入されたりする。
【００１９】
紙幣投入口１２２には、紙幣が投入される。硬貨投入口１２４には、硬貨が投入される。乗車券排出口１２６からは、乗車券が排出される。釣銭排出口１２８からは、釣銭のうち硬貨が排出される。なお、釣銭のうち紙幣は、紙幣投入口１２２から排出される。
【００２０】
リーダライタ１３０は、カード挿入口１２０に挿入されたＩＣカード１０と通信する。リーダライタ１３０は、例えばアンテナを備え、１３．５６［ＭＨｚ］等のＩＳＭ（Industry-Science-Medical）帯の周波数帯域を利用してＩＣカード１０と無線通信を行う。
【００２１】
エンコード／デコード部１３２は、例えば、リーダライタ１３０によってＩＣカード１０から読み取られた情報を復号して券売機側制御部１５０に出力すると共に、券売機側制御部１５０により指示された情報を暗号化してリーダライタ１３０に出力する。券売機側制御部１５０により指示された情報とは、例えば、電子マネーの残高から乗車券の購入金額を減算した情報である。リーダライタ１３０は、エンコード／デコード部１３２から入力された情報をＩＣカード１０に書き込む。これによって、ＩＣカード１０には、乗車券の購入金額分が減算された電子マネーの残高が書き込まれる。
【００２２】
また、リーダライタ１３０は、例えば、ユーザが通学定期券を購入するために、予め用意したＩＣカード１０をカード挿入口１２０に挿入し、タッチパネル部１１０を操作して、通学に利用する利用区間や利用期間などを入力した場合、カード挿入口１２０に挿入されたＩＣカード１０から、カード識別情報を読み取ると共に、カード挿入口１２０に挿入されたＩＣカード１０のＩＣチップに、暫定的な通学定期券であることを示す情報（以下、暫定定期券情報）を書き込む。「暫定的な」とは、通学定期券としての効力が未だ有効でない状態であることを表す。以下、暫定的な通学定期券を、「暫定定期券」と称して説明する。
【００２３】
なお、リーダライタ１３０は、ユーザがカード挿入口１２０に挿入したＩＣカード１０に暫定定期券情報を書き込む代わりに、未だ発行されたことのない新規のＩＣカード１０に暫定定期券情報を書き込んでもよい。
【００２４】
検銭部１３４は、紙幣投入口１２２または硬貨投入口１２４に投入された金銭を計数し、計数結果を券売機側制御部１５０に出力する。
【００２５】
乗車券発行部１３６は、券売機側制御部１５０による制御によって、予めセットされた印紙に表示オブジェクトを画像として形成（印刷）する。例えば、乗車券発行部１３６は、熱転写方式やインクジェット方式で印紙に表示オブジェクトを形成する。乗車券発行部１３６は、表示オブジェクトを形成した印紙、すなわち乗車券を乗車券排出口１２６から排出する。これによって、乗車券発行部１３６は、乗車券を発行する。
【００２６】
また、乗車券発行部１３６は、券売機側制御部１５０による制御によって、カード挿入口１２０に挿入され、暫定定期券情報が書き込まれたＩＣカード１０、すなわち暫定定期券の表面や裏面に、通学定期間の利用区間や利用期間等を表す画像を表示オブジェクトとして形成してもよい。
【００２７】
釣銭部１３８は、券売機側制御部１５０による制御によって、検銭部１３４により計数された金額と、乗車券（通学定期券等を含む）の購入金額との差分を算出し、算出した金額を釣銭排出口１２８から排出させる。
【００２８】
券売機側通信部１４０は、券売機側制御部１５０による制御によって、サーバ装置５００等と通信する。券売機側通信部１４０は、例えば、ＮＩＣ（Network Interface Card）等の通信インターフェースを含んでよいが、これに限定されるものではない。
【００２９】
券売機側制御部１５０は、例えば、券売機側通信制御部１５２と、券売機側表示制御部１５４と、発行制御部１５６とを備える。これらの機能部のうち一部または全部は、例えばＣＰＵ（Central Processing Unit）やＧＰＵ（Graphics Processing Unit）等のハードウェアプロセッサがプログラム（ソフトウェア）を実行することにより実現される。また、これらの構成要素のうち一部または全部は、ＬＳＩ（Large Scale Integration）やＡＳＩＣ（Application Specific Integrated Circuit）、ＦＰＧＡ（Field-Programmable Gate Array）等のハードウェア（回路部；circuitryを含む）によって実現されてもよいし、ソフトウェアとハードウェアの協働によって実現されてもよい。プログラムは、予め券売機側記憶部１７０に格納されていてもよいし、ＤＶＤ（Digital Versatile Disc）やＣＤ−ＲＯＭ等の着脱可能な記憶媒体に格納されており、その記憶媒体が券売機側制御部１５０のドライブ装置に装着されることで券売機側記憶部１７０にインストールされてもよい。
【００３０】
券売機側記憶部１７０は、例えば、ＲＯＭ（Read Only Memory）、フラッシュメモリ、ＨＤＤ（Hard Disk Drive）、ＳＤＤ（Solid State Drive）、ＲＡＭ（Random Access Memory）、レジスタ等によって実現される。券売機側記憶部１７０は、プロセッサが実行するプログラムや、その他の処理結果等を格納する。
【００３１】
券売機側通信制御部１５２は、例えば、リーダライタ１３０がＩＣカード１０から読み取ったカード識別情報を、券売機側通信部１４０を介してサーバ装置５００に送信する。また、券売機側通信制御部１５２は、券売機側通信部１４０を介してサーバ装置５００から各種情報を受信してもよい。
【００３２】
券売機側表示制御部１５４は、通学定期券などを購入するための画面を表示部１１２に表示させる。
【００３３】
発行制御部１５６は、乗車券発行部１３６に乗車券を発行させる。例えば、発行制御部１５６は、カード挿入口１２０にＩＣカード１０が挿入され、受付部１１４によって通学定期券の購入操作が受け付けられ、紙幣投入口１２２や硬貨投入口１２４に貨幣が投入された場合、検銭部１３４に金銭を計数させ、その金銭の合計額が購入金額以上である場合、リーダライタ１３０を制御して、カード挿入口１２０に挿入されたＩＣカード１０に、暫定定期券情報を書き込ませる。そして、発行制御部１５６は、乗車券発行部１３６に、暫定定期券情報が書き込まれたＩＣカード１０の表面或いは裏面に、通学定期間の利用区間や利用期間等を表す画像を形成させ、そのＩＣカード１０を、暫定定期券として発行させる。
【００３４】
また、発行制御部１５６は、検銭部１３４に計数された金銭の合計額が購入金額に満たない場合、購入金額に足らない不足分を、リーダライタ１３０により読み取られたＩＣカード１０の電子マネーのチャージ残高から減算して、乗車券発行部１３６に暫定定期券を発行させてもよい。
【００３５】
以下、実施形態の自動改札機２００について説明する。図３は、実施形態の自動改札機２００を上方から見た図である。自動改札機２００は、例えば、通路を挟んで対向配置される主機２１０と従機２３０とを備えてよい。主機２１０は、例えば、リーダライタ２１１と、上面表示部２１２と、正面表示部２１３と、扉部２１４および２１５と、改札機側制御部２５０とを備える。また、従機２３０は、リーダライタ２３１と、上面表示部２３２と、正面表示部２３３と、扉部２３４および２３５とを備える。
【００３６】
主機２１０のリーダライタ２１１は、図３に示すａ方向に通過しようとする利用者によって翳されたＩＣカード１０から乗車券情報を読み取り、読み取った乗車券情報を改札機側制御部２５０に送信する。また、リーダライタ２１１は、改札機側制御部２５０により出力された情報に基づいて、ＩＣカード１０の乗車券情報を書き換える。上面表示部２１２は、リーダライタ２１１にＩＣカード１０が翳された場合に、改札機側制御部２５０によって処理された結果、またはサーバ装置５００から受信した情報に基づく画像を表示する。正面表示部２１３は、図３に示すａ方向に通過可能であること、または通過不可能であることを示すマークや図形、文字等を表示する。正面表示部２１３の表示内容または表示の有無は、改札機側制御部２５０によって決定される。
【００３７】
一方、従機２３０のリーダライタ２３１は、図３に示すｂ方向に通過しようとする利用者によって翳されたＩＣカード１０から乗車券情報を読み取り、読み取った乗車券情報を改札機側制御部２５０に送信する。また、リーダライタ２３１は、改札機側制御部２５０により出力された情報に基づいて、ＩＣカード１０の乗車券情報を書き換える。上面表示部２３２は、リーダライタ２３１にＩＣカード１０が翳された場合に、改札機側制御部２５０によって処理された結果、またはサーバ装置５００から受信した情報に基づく画像を表示する。正面表示部２３３は、図３に示すｂ方向に通過可能であること、または通過不可能であることを示すマークや図形、文字等を表示する。正面表示部２３３の表示内容または表示の有無は、改札機側制御部２５０によって決定される。
【００３８】
改札機側制御部２５０は、図３に示すａ方向への利用者の通過を許可する動作モードに自動改札機２００が設定されている場合、扉部２１５および２３５を開放状態に維持すると共に、扉部２１４（２１５）および２３４（２３５）を開放状態または閉止状態に制御することで、ａ方向の利用者の通過を許可または禁止する。また、改札機側制御部２５０は、図３に示すｂ方向への利用者の通過を許可する動作モードに自動改札機２００が設定されている場合、扉部２１４（２１５）および２３４（２３５）を開放状態に維持すると共に、扉部２１５および２３５を開放状態または閉止状態に制御することで、ｂ方向の利用者の通過を許可または禁止する。
【００３９】
また、自動改札機２００の動作モードには、図３に示すａ方向の通過とｂ方向の通過との双方を許可する動作モードが含まれていてもよい。この場合、改札機側制御部２５０は、例えば、利用者が通過中でなければ正面表示部２３３と正面表示部２３３の双方に通過を許可することを示すマークや図形、文字等を表示させる制御を行う。また、改札機側制御部２５０は、例えば、利用者がａ方向およびｂ方向のいずれかの側から進入し、リーダライタ２１１とリーダライタ２３１とのいずれか一方にＩＣカード１０が翳されると、他方のリーダライタによるＩＣカード１０の読み取りを禁止すると共に、利用者が進入してきていない側の表示部（正面表示部２１３または正面表示部２３３）に、通過を禁止することを示すマークや図形、文字等を表示させる制御を行う。
【００４０】
なお、図３では、自動改札機２００は、乗車券情報がＩＣチップに記録されたＩＣカード１０の専用機であるものとして説明したが、自動改札機２００は、更に、ＱＲコード（登録商標）等の二次元コードが印刷された紙券や、乗車券情報が磁気記録面に記録された磁気券を処理可能な装置であってもよい。また、自動改札機２００は、利用者が双方向に通過可能なものに限らず、主機と補機により構成される、利用者が一方向にのみ通過可能なものであってもよい。
【００４１】
図４は、実施形態における自動改札機２００の機能構成の一例を示す図である。自動改札機２００は、図３に示す構成の他、主機２１０側のエンコード／デコード部２１１ａと、従機２３０側のエンコード／デコード部２３１ａと、改札機側制御部２５０の制御を受けて、音声を出力するスピーカ２４０と、改札機側通信部２４５と、種々の情報を格納する改札機側記憶部２７０とを更に備える。
【００４２】
エンコード／デコード部２１１ａは、例えば、リーダライタ２１１によってＩＣカード１０から読み取られた乗車券情報や暫定定期券情報を復号して改札機側制御部２５０に出力すると共に、改札機側制御部２５０により指示された情報を暗号化してリーダライタ２１１に出力する。リーダライタ２１１は、エンコード／デコード部２１１ａから入力された情報をＩＣカード１０に書き込む。
【００４３】
エンコード／デコード部２３１ａは、例えば、リーダライタ２３１によってＩＣカード１０から読み取られた乗車券情報や暫定定期券情報を復号して改札機側制御部２５０に出力すると共に、改札機側制御部２５０により指示された情報を暗号化してリーダライタ２３１に出力する。リーダライタ２３１は、エンコード／デコード部２３１ａから入力された情報をＩＣカード１０に書き込む。
【００４４】
改札機側通信部２４５は、改札機側制御部２５０による制御を受けて、サーバ装置５００等と通信する。改札機側通信部２４５は、例えば、ＮＩＣ等の通信インターフェースを含む。
【００４５】
改札機側記憶部２７０は、例えば、ＲＯＭ、フラッシュメモリ、ＨＤＤ、ＳＤＤ、ＲＡＭ、レジスタ等の記憶装置によって実現される。改札機側記憶部２７０は、プロセッサが実行するプログラムを格納する他、後述する運賃テーブル等を格納する。
【００４６】
改札機側制御部２５０は、例えば、改札機側通信制御部２５２と、通過可否判定部２５４と、通過制御部２５６とを備える。これらの機能部のうち一部または全部は、例えばＣＰＵやＧＰＵ等のハードウェアプロセッサがプログラム（ソフトウェア）を実行することにより実現される。また、これらの構成要素のうち一部または全部は、ＬＳＩやＡＳＩＣ、ＦＰＧＡ等のハードウェア（回路部；circuitry）によって実現されてもよいし、ソフトウェアとハードウェアの協働によって実現されてもよい。プログラムは、予め改札機側記憶部２７０に格納されていてもよいし、ＤＶＤやＣＤ−ＲＯＭ等の着脱可能な記憶媒体に格納されており、その記憶媒体が自動改札機２００のドライブ装置に装着されることで改札機側記憶部２７０にインストールされてもよい。
【００４７】
改札機側通信制御部２５２は、例えば、改札機側通信部２４５を制御して、リーダライタ２１１またはリーダライタ２３１によって読み取られた乗車券情報や暫定定期券情報を、サーバ装置５００に送信する。また、改札機側通信制御部２５２は、サーバ装置５００から、各種情報を改札機側通信部２４５に受信させる。
【００４８】
通過可否判定部２５４は、リーダライタ２１１またはリーダライタ２３１により読み取られた乗車券情報や暫定定期券情報に基づいて、利用者の通過の可否を判定する。例えば、通過可否判定部２５４は、乗車券情報に含まれる有効期間、乗車駅（発駅）、乗車可能区間等の情報と運賃テーブルとを照合することにより、自装置である自動改札機２００が設置された駅と乗車駅とが一致するか否か、自動改札機２００が設置された駅が乗車可能区間内か否か、すなわち利用者の乗車区間がＩＣカード１０の定期利用区間内であるのか否か、利用者の乗車区間がＩＣカード１０のチャージ残高以内であるのか否か、ＩＣカード１０の利用日時が有効期間内か否か等といったことを判定し、全ての判定条件を満たす場合に利用者の通過を許可し、いずれか１つ以上の判定条件を満たさない場合に利用者の通過を禁止すると判定する。
【００４９】
通過制御部２５６は、通過可否判定部２５４による判定結果に応じて、扉部２１４、２１５、２３４、２３５、スピーカ２４０、上面表示部２１２、２３２、正面表示部２１３、２３３、またはこれらを組み合わせたものを制御する。
【００５０】
通過制御部２５６は、通過可否判定部２５４によって利用者の通過を禁止すると判定された場合、例えば、上面表示部２１２（２３２）、正面表示部２１３（２３３）および／またはスピーカ２４０に、ＩＣカード１０を利用できないことを表す情報を出力させ、扉部２１４（２１５）および２３４（２３５）を閉止状態に制御して利用者の通過を禁止する。以下、この制御を、通過禁止制御と称して説明する。
【００５１】
また、通過制御部２５６は、通過可否判定部２５４によって利用者の通過を禁止すると判定された場合、例えば、上面表示部２１２（２３２）、正面表示部２１３（２３３）および／またはスピーカ２４０に、ＩＣカード１０を利用できることを表す情報を出力させ、扉部２１４（２１５）および２３４（２３５）を開放状態に制御して利用者の通過を許可する。この際、通過制御部２５６は、リーダライタ２１１（２３１）を制御してＩＣカード１０の入出場コードに入場を許可した旨を示す情報を書き込ませたり、後述する各種フラグを書き換えたりしてもよい。以下、この制御を、通過許可制御と称して説明する。
【００５２】
以下、実施形態のサーバ装置５００について説明する。図５は、実施形態のサーバ装置５００の構成の一例を示す図である。サーバ装置５００は、例えば、サーバ側通信部５０２と、サーバ側制御部５２０と、サーバ側記憶部５３０とを備える。
【００５３】
サーバ側通信部５０２は、サーバ側制御部５２０による制御を受けて、自動改札機２００や、通学者側端末装置３００、学校側端末装置４００等と通信する。サーバ側通信部５０２は、例えば、ＮＩＣ等の通信インターフェースを含む。
【００５４】
サーバ側制御部５２０は、例えば、サーバ側通信制御部５２２と、定期券効力判定部５２４と、データ管理部５２６とを備える。これらの機能部のうち一部または全部は、例えばＣＰＵやＧＰＵ等のハードウェアプロセッサがプログラム（ソフトウェア）を実行することにより実現される。また、これらの構成要素のうち一部または全部は、ＬＳＩやＡＳＩＣ、ＦＰＧＡ等のハードウェア（回路部；circuitry）によって実現されてもよいし、ソフトウェアとハードウェアの協働によって実現されてもよい。プログラムは、予めサーバ側記憶部５３０に格納されていてもよいし、ＤＶＤやＣＤ−ＲＯＭ等の着脱可能な記憶媒体に格納されており、その記憶媒体がサーバ装置５００のドライブ装置に装着されることでサーバ側記憶部５３０にインストールされてもよい。サーバ装置５００が備える定期券効力判定部５２４およびデータ管理部５２６は、「有効化手段（処理部）」の一例である。
【００５５】
サーバ側記憶部５３０は、例えば、ＲＯＭ、フラッシュメモリ、ＨＤＤ、ＳＤＤ、ＲＡＭ、レジスタ等の記憶装置によって実現される。サーバ側記憶部５３０は、プロセッサが実行するプログラムを格納する他、第１通学証明情報５３２、第２通学証明情報５３４、定期券有効ＩＤ情報５３６等を格納する。これらの情報については後述する。
【００５６】
サーバ側通信部５０２は、サーバ側通信部５０２を自動改札機２００や、通学者側端末装置３００、学校側端末装置４００等と通信させ、それらの各装置に情報を送信させたり、各装置から情報を受信させたりする。例えば、サーバ側通信部５０２は、サーバ側通信部５０２に、自動改札機２００からＩＣカード１０の乗車券情報を受信させる。
【００５７】
定期券効力判定部５２４は、サーバ側通信部５０２により受信されたＩＣカード１０の乗車券情報に基づいて、そのＩＣカード１０の通学定期券としての効力を有効にするのか否かを判定する。
【００５８】
データ管理部５２６は、定期券効力判定部５２４により通学定期券としての効力を有効にすると判定されたＩＣカード１０のカード識別情報を、サーバ側記憶部５３０に記憶させる。
【００５９】
以下、実施形態の駅務システム１の処理の流れを説明する。図６は、実施形態の駅務システム１の処理の流れの一例を示すシーケンス図である。本シーケンス図は、暫定定期券を発行してから、その暫定定期券の通学定期券としての効力が有効になるまでの各装置の処理の流れを表している。
【００６０】
まず、生徒などの通学者は、券売機１００のタッチパネル部１１０を操作して、通学定期券情報を入力すると共に、通学定期券として利用する予定のＩＣカード１０を、カード挿入口１２０に挿入する（ステップＳ１００）。通学定期券情報とは、例えば、上述した利用区間や利用期間に加えて、利用開始日、経由駅、通学経路、個人情報などを含む情報である。なお、通学者は、自身が保有する既存のＩＣカード１０を、カード挿入口１２０に挿入する代わりに、タッチパネル部１１０を操作して、通学定期券として利用するＩＣカード１０を新規に発行してもよい。
【００６１】
次に、券売機１００の発行制御部１５６は、リーダライタ１３０を制御して、カード挿入口１２０に挿入されたＩＣカード１０のＩＣチップと通信させ（ステップＳ１０２）、ＩＣカード１０から、カード識別情報を読み取らせる（ステップＳ１０４）。
【００６２】
次に、券売機１００の発行制御部１５６は、リーダライタ１３０を制御して、カード挿入口１２０に挿入されたＩＣカード１０に、１または０の２値をもつ効力フラグを暫定定期券情報として書き込ませると共に、ＩＣカード１０の表面或いは裏面に、通学定期間の利用区間や利用期間等を表す画像を形成させ、そのＩＣカード１０を、暫定定期券として発行させる（ステップＳ１０６）。
【００６３】
効力フラグには、例えば、ＩＣカード１０が暫定定期券であるか否かを２値で示す第１フラグと、ＩＣカード１０が通学定期券としての効力が有効であるか否かを２値で示す第２フラグとが含まれる。
【００６４】
例えば、ＩＣカード１０が暫定定期券でなく、通学定期券としての効力が無効である場合、第１フラグは「０」であり、第２フラグは「０」となる。この場合、ＳＦ（Stored Fare）処理として、ＩＣカード１０にチャージされた残高に応じて通過可否が決定される。
【００６５】
また、ＩＣカード１０が暫定定期券であり、且つ通学定期券としての効力が無効である場合、第１フラグは「１」、第２フラグは「０」となる。この場合、ＩＣカード１０は、サーバ装置５００によって管理された情報に基づいて、通学定期券として処理されたり、ＳＦ処理が行われたりする。
【００６６】
また、ＩＣカード１０が暫定定期券でなく、且つ通学定期券としての効力が有効である場合、第１フラグは「０」であり、第２フラグは「１」となる。この場合、ＩＣカード１０は、通学定期券として処理される。
【００６７】
発行制御部１５６は、リーダライタ１３０を制御して、ＩＣカード１０に、「１」の第１フラグと「０」の第２フラグとを書き込むことで、暫定定期券を発行する。この際、券売機１００の券売機側表示制御部１５４は、カード識別情報、またはカード識別情報を暗号化した情報を、表示部１１２の画面に表示させる。
【００６８】
次に、券売機１００の券売機側通信制御部１５２は、リーダライタ１３０により読み取られたカード識別情報と、入力された通学定期券情報とを、券売機側通信部１４０を介してサーバ装置５００に送信する（ステップＳ１０８）。
【００６９】
サーバ装置５００のデータ管理部５２６は、サーバ側通信部５０２によって、券売機１００からカード識別情報と通学定期券情報とが受信されると、その受信されたカード識別情報および通学定期券情報をサーバ側記憶部５３０に記憶させる（ステップＳ１１０）。
【００７０】
次に、暫定定期券を所持する通学者は、通学者側端末装置３００を操作して、暫定定期券のカード識別情報と、通学証明情報とを入力する（ステップＳ１２０）。通学証明情報は、通学者（生徒）の通学を証明するための各種情報であり、例えば、学校名、学籍番号、氏名、年齢、性別、通学者の居住地、通学区間、学校代表者の氏名などを含む。例えば、暫定定期券のカード識別情報および通学証明情報を入力可能な専用の入力フォームがウェブサイトとして通学者側端末装置３００に提供される場合、暫定定期券を所持する通学者は、通学者側端末装置３００を操作して、このウェブサイトにアクセスすることで暫定定期券のカード識別情報および通学証明情報を入力する。
【００７１】
次に、通学者側端末装置３００は、入力された暫定定期券のカード識別情報および通学証明情報をサーバ装置５００に送信する（ステップＳ１２２）。
【００７２】
次に、サーバ装置５００のサーバ側通信制御部５２２は、サーバ側通信部５０２によって暫定定期券のカード識別情報および通学証明情報が受信されると、暫定定期券のカード識別情報および通学証明情報を第１通学証明情報５３２としてサーバ側記憶部５３０に記憶させると共に、サーバ側通信部５０２に、これらの情報を受信したことを示す情報（以下、受信完了情報）を通学者側端末装置３００に送信させる（ステップＳ１２４）。第１通学証明情報５３２は、「第１情報」の一例である。
【００７３】
次に、暫定定期券を所持する通学者は、通学者側端末装置３００によって受信完了情報が受信されると、その通学者側端末装置３００を操作して、駅務システム１を利用して暫定定期券の通学定期券としての効力を有効にすることに同意する、または同意しないことを決定する（ステップＳ１２６）。
【００７４】
通学者側端末装置３００は、利用者が、駅務システム１を利用して暫定定期券の効力を有効にすることに同意した場合、その旨を示す情報（以下、同意情報）をサーバ装置５００に送信する（ステップＳ１２８）。
【００７５】
サーバ装置５００のサーバ側通信制御部５２２は、サーバ側通信部５０２によって同意情報が受信されると、サーバ側通信部５０２に、確認番号および駅務システム１の利用履歴を通学者側端末装置３００に送信させる（ステップＳ１３０）。確認番号は、例えば、通学定期券の効力を有効にすることが同意された暫定定期券のカード識別情報毎に付与されるユニーク番号である。確認番号および駅務システム１の利用履歴は、例えば、予め登録されたメールアドレス等に送信されてよい。
【００７６】
サーバ装置５００のサーバ側通信制御部５２２は、サーバ側通信部５０２によって同意情報が受信されると、サーバ側通信部５０２に、通学定期券の効力を有効にすることが同意された暫定定期券のカード識別情報と共に受信した第１通学証明情報５３２を、学校側端末装置４００に送信させる（ステップＳ１３２）。
【００７７】
学校側端末装置４００は、サーバ装置５００から第１通学証明情報５３２を受信すると、その第１通学証明情報５３２を学校の教員に確認させるための画面を表示する（ステップＳ１３４）。この画面は、例えば、ウェブサイト等を介して提供されてもよいし、電子メールを介して提供されてもよい。例えば、教員は、学校側端末装置４００の画面に表示された第１通学証明情報５３２と、予め控えておいた通学証明を申請した生徒の通学証明情報（以下、第２通学証明情報５３４）とを照合する。第２通学証明情報５３４は、「第２情報」の一例である。
【００７８】
次に、学校側端末装置４００は、教員の照合によって、第１通学証明情報５３２が予め通学証明を申請した生徒の通学を証明するものであることが確認された場合、すなわち、サーバ装置５００から受信した第１通学証明情報５３２が第２通学証明情報５３４と正しく照合したことが確認された場合、第１通学証明情報５３２が正しいことを示す情報（以下、マッチ情報）をサーバ装置５００に送信する（ステップＳ１３６）。マッチ情報は、「第１情報と第２情報との照合結果」の一例である。
【００７９】
一方、学校側端末装置４００は、教員による照合によって、通学証明情報が予め通学証明を申請した生徒の通学を証明するものでないことが確認された場合、すなわち、第１通学証明情報５３２が第２通学証明情報５３４と正しく照合しないことが確認された場合、Ｓ１３６の処理として、第１通学証明情報５３２が誤っていることを示す情報（以下、ミスマッチ情報）をサーバ装置５００に送信する。ミスマッチ情報は、「第１情報と第２情報との照合結果」の他の例である。
【００８０】
サーバ装置５００の定期券効力判定部５２４は、サーバ側通信部５０２によってマッチ情報が受信されると、暫定定期券の通学定期券としての効力を有効にすると判定し、サーバ側通信部５０２によってミスマッチ情報が受信されると、暫定定期券の通学定期券としての効力を無効にすると判定する。
【００８１】
データ管理部５２６は、定期券効力判定部５２４によって暫定定期券の通学定期券としての効力を有効にすると判定された場合、暫定定期券のカード識別情報に対して、その暫定定期券の通学定期券としての効力が有効であることを示すために、「１」の第２フラグを対応づけて、これを定期券有効ＩＤ情報５３６としてサーバ側記憶部５３０に記憶させる（ステップＳ１３８）。
【００８２】
なお、学校側端末装置４００は、マッチ情報或いはミスマッチ情報をサーバ装置５００に送信する代わりに、教員側が控えておいた第２通学証明情報５３４を送信してもよい。この場合、サーバ装置５００の定期券効力判定部５２４は、サーバ側通信部５０２によって第２通学証明情報５３４が受信されると、これをサーバ側記憶部５３０に記憶させ、第１通学証明情報５３２と第２通学証明情報５３４とを互いに照合するか否かを判定してよい。すなわち、第１通学証明情報５３２と第２通学証明情報５３４との照合は、サーバ装置５００側で行われてもよいし、学校側端末装置４００側で行われてもよい。
【００８３】
次に、サーバ装置５００のサーバ側通信制御部５２２は、サーバ側通信部５０２に、暫定定期券の通学定期券の効力が有効になったことを示す情報を通学者側端末装置３００に送信させる（ステップＳ１４０）。
【００８４】
これを受けて、通学者側端末装置３００は、暫定定期券の通学定期券の効力が有効になったこと、すなわち、暫定定期券を通学定期券として利用可能であることを文字や画像等で表示する（ステップＳ１４２）。
【００８５】
次に、自動改札機２００の通過可否判定部２５４は、リーダライタ２１１または２３１にＩＣカード１０が翳されたか否かを判定し（ステップＳ１５０）、リーダライタ２１１または２３１にＩＣカード１０が翳されたと判定した場合、ＩＣカード１０が翳されたリーダライタをＩＣカード１０と通信させ（ステップＳ１５２）、リーダライタに、ＩＣカード１０から乗車券情報および暫定定期券情報（効力フラグ）を読み取らせる（ステップＳ１５４）。
【００８６】
次に、自動改札機２００の通過可否判定部２５４は、暫定定期券情報を基に、翳されたＩＣカード１０が暫定定期券であるか否かを判定する（ステップＳ１５６）。例えば、通過可否判定部２５４は、効力フラグの第１フラグが「１」である場合、翳されたＩＣカード１０が暫定定期券であると判定する。
【００８７】
次に、自動改札機２００の改札機側通信制御部２５２は、通過可否判定部２５４により翳されたＩＣカード１０が暫定定期券であると判定された場合、そのＩＣカード１０から読み取られた乗車券情報に含まれるカード識別情報を、改札機側通信部２４５を介してサーバ装置５００に送信する（ステップＳ１５８）。
【００８８】
次に、サーバ装置５００のデータ管理部５２６は、サーバ側通信部５０２によってカード識別情報が受信されると、サーバ側記憶部５３０の定期券有効ＩＤ情報５３６を参照し、受信されたカード識別情報に対応付けられた第２フラグが「１」であるか否かを判定する（ステップＳ１６０）。
【００８９】
サーバ装置５００のサーバ側通信制御部５２２は、データ管理部５２６によって、カード識別情報に対応付けられた第２フラグが「１」であると判定された場合、サーバ側通信部５０２に、翳されたＩＣカード１０の通学定期券としての効力が有効であることを示す情報（以下、効力有効情報）を、自動改札機２００に送信させる（ステップＳ１６２）。
【００９０】
次に、自動改札機２００の通過可否判定部２５４は、改札機側通信部２４５によって効力有効情報が受信されると、翳されたＩＣカード１０を通学定期券として処理する（ステップＳ１６４）。
【００９１】
以下、サーバ装置５００の一連の処理の流れをフローチャートに即して説明する。図７は、サーバ装置５００の一連の処理の流れを示すフローチャートである。本フローチャートの処理は、例えば、上述したＳ１２０からＳ１２４の処理に相当する。
【００９２】
まず、サーバ装置５００のサーバ側通信制御部５２２は、サーバ側通信部５０２によって、通学者側端末装置３００から、暫定定期券のカード識別情報および通学証明情報を入力可能な専用の入力フォームのリクエスト（例えばＨＴＴＰ（Hypertext Transfer Protocol）リクエスト等）が受信されたか否かを判定する（ステップＳ２００）。
【００９３】
サーバ装置５００のサーバ側通信制御部５２２は、サーバ側通信部５０２によって入力フォームのリクエストが受信された場合、サーバ側通信部５０２を介して、通学者側端末装置３００に、入力フォームのウェブページ等を提供する（ステップＳ２０２）。
【００９４】
図８および図９は、入力フォームの一例を示す図である。図８に例示するように、入力フォームには、暫定定期券のカード識別情報を入力するための入力欄Ｒ１と、乗車駅や降車駅、経由駅等を選択するための選択欄Ｒ２と、通学定期券の利用期間を選択するための選択ボタンＲ３と、次の入力フォームへと画面遷移させるボタンＲ４とが含まれてよい。入力欄Ｒ１、選択欄Ｒ２、および選択ボタンＲ３に対する操作が完了した後に、ボタンＲ４が操作された場合、通学者側端末装置３００の画面は、図９に例示するような入力フォームに遷移する。
【００９５】
図９に例示する入力フォームには、例えば、中学校や高等学校、大学、専門学校といった通学する学校の種別と、学校名と、学校の所在地とを入力するための入力欄Ｒ５と、氏名や性別、年齢、電話番号、メールアドレス、学籍番号といった通学者の個人情報を入力するための入力欄Ｒ６と、前の入力フォームへと画面遷移させるボタンＲ７と、次の入力フォームへと画面遷移させるボタンＲ８とが含まれてよい。入力欄Ｒ５およびＲ６に対する操作が完了した後に、ボタンＲ８が操作された場合、通学者側端末装置３００は、入力フォームに入力された各種情報をサーバ装置５００に送信する。
【００９６】
次に、サーバ装置５００のサーバ側通信制御部５２２は、サーバ側通信部５０２を介して、通学者側端末装置３００から、入力フォームに入力されたとして、暫定定期券のカード識別情報および第１通学証明情報５３２を取得する（ステップＳ２０４）。
【００９７】
次に、サーバ装置５００のサーバ側通信制御部５２２は、サーバ側通信部５０２を介して、第１通学証明情報５３２として取得した情報を一覧形式で表示したウェブページ（以下、情報確認ページ）を、通学者側端末装置３００に提供する（ステップＳ２０６）。
【００９８】
図１０は、情報確認ページの一例を示す図である。図１０に例示する情報確認ページには、例えば、図８および図９に例示した入力フォームに対して入力された各種情報が表示される（図中Ｒ９）。通学者は、Ｒ９の表示内容が正しい場合、「問い合わせ」ボタンＲ１１を操作することで情報を確定させる。「問い合わせ」ボタンＲ１１が操作された場合、通学者側端末装置３００の画面は、後述する図１１に例示するようなページに遷移する。
【００９９】
サーバ装置５００のサーバ側通信制御部５２２は、図１０に例示する情報確認ページにおいて、第１通学証明情報５３２が確認されたか否かを判定する（ステップＳ２０８）。例えば、サーバ側通信制御部５２２は、「問い合わせ」ボタンＲ１１が操作された場合、第１通学証明情報５３２が確認されたと判定し、そうでない場合、第１通学証明情報５３２が確認されていないと判定する。
【０１００】
サーバ装置５００のデータ管理部５２６は、「問い合わせ」ボタンＲ１１が操作された場合、第１通学証明情報５３２が仮登録情報と一致するか否かを判定する（ステップＳ２１０）。仮登録情報とは、暫定定期券を発行する際に、通学者が券売機１００に入力した通学定期券情報である。
【０１０１】
例えば、データ管理部５２６は、仮登録情報に含まれる、利用区間、利用期間、経由駅、通学先の学校名、氏名といった情報と、第１通学証明情報５３２に含まれる、利用区間（Ｒ１の入力情報）、経由駅（Ｒ１の入力情報）、有効期間（Ｒ２の入力情報）、学校名（Ｒ５の入力情報）、氏名（Ｒ６の入力情報）といった情報とを比較することで、両者の情報が互いに一致するか否かを判定する。
【０１０２】
サーバ側通信制御部５２２は、データ管理部５２６によって第１通学証明情報５３２と仮登録情報とが互いに一致しないと判定された場合、Ｓ２０２の処理に戻り、第１通学証明情報５３２と仮登録情報とが互いに一致すると判定された場合、サーバ側通信部５０２を介して、情報確認ページに表示させた情報を確定させるためのウェブページ（以下、情報確定ページ）を、通学者側端末装置３００に提供する（ステップＳ２１２）。
【０１０３】
図１１は、情報確定ページの一例を示す図である。図１１に例示する情報確定ページは、例えば、図１０に例示した情報確認ページの上に、表示領域Ｒ１２が表示されたウェブページである。表示領域Ｒ１２には、例えば、図８および図９に例示した入力フォームに対して入力された各種情報を通学証明情報として確定したことを通学者に通知すると共に、その確定した情報を第１通学証明情報として学校（学校側端末装置４００）へ送信することを確定させるための「確定」ボタンＲ１４と、それを中止させるための「中止」ボタンＲ１３とが表示される。
【０１０４】
データ管理部５２６は、表示領域Ｒ１２内の「確定」ボタンＲ１４が操作され、情報が確定されたか否かを判定し（ステップＳ２１４）、「確定」ボタンＲ１４が操作され、情報が確定された場合、暫定定期券のカード識別情報と第１通学証明情報とを、サーバ側記憶部５３０に記憶させる（ステップＳ２１６）。
【０１０５】
次に、サーバ側通信制御部５２２は、サーバ側通信部５０２を介して、受信完了情報を通学者側端末装置３００に送信する（ステップＳ２１８）。これによって本フローチャートの処理が終了する。
【０１０６】
以下、自動改札機２００の一連の処理の流れをフローチャートに即して説明する。図１２は、自動改札機２００の一連の処理の流れを示すフローチャートである。本フローチャートの処理は、例えば、上述したＳ１５０からＳ１６４の処理に相当する。
【０１０７】
まず、自動改札機２００のリーダライタ２１１または２３１は、翳されたＩＣカード１０から乗車券情報と暫定定期券情報とを読み取る（ステップＳ３００）。
【０１０８】
次に、通過可否判定部２５４は、暫定定期券情報の第２フラグが「１」であるか否か、すなわち、ＩＣカード１０が通学定期券であるか否かを判定する（ステップＳ３０２）。
【０１０９】
通過可否判定部２５４は、第２フラグが「１」である場合、すなわちＩＣカード１０が通学定期券である場合、ＩＣカード１０の利用日が、暫定定期券情報と共に読み取られた乗車券情報の利用期間内であるのか、また利用者の乗車区間が通学定期券の定期利用区間内であるのか否かを判定する（ステップＳ３０４）。
【０１１０】
通過制御部２５６は、通過可否判定部２５４によって、ＩＣカード１０の利用日が利用期間内であり、更に利用者の乗車区間が定期券の利用区間内であると判定された場合、通過許可制御を行う（ステップＳ３０６）。
【０１１１】
一方、通過可否判定部２５４は、ＩＣカード１０の利用日が利用期間内でない、または利用者の乗車区間が定期券の利用区間内でないと判定した場合、更に、ＳＦ処理として、電子マネーのチャージ残高が乗車区間の運賃以上であるか否かを判定する（ステップＳ３０８）。
【０１１２】
通過制御部２５６は、通過可否判定部２５４によって、電子マネーのチャージ残高が乗車区間の運賃以上であると判定された場合、Ｓ３０６の処理に移り、通過許可制御を行う。
【０１１３】
一方、通過制御部２５６は、通過可否判定部２５４によって、電子マネーのチャージ残高が乗車区間の運賃未満であると判定された場合、通過禁止制御を行う（ステップＳ３１０）。
【０１１４】
一方、上述したＳ３０２の処理において、通過可否判定部２５４は、第２フラグが「０」であると判定した場合、第１フラグが「１」であるか否か、すなわちＩＣカード１０が暫定定期券であるか否かを判定する（ステップＳ３１２）。
【０１１５】
通過可否判定部２５４は、第１フラグが「０」であると判定した場合、すなわちＩＣカード１０が通学定期券でもなく、暫定定期券でもない場合、Ｓ３０８の処理に移り、ＳＦ処理として、電子マネーのチャージ残高が乗車区間の運賃以上であるか否かを判定する。
【０１１６】
改札機側通信制御部２５２は、通過可否判定部２５４により第１フラグが「１」であると判定された場合、すなわちＩＣカード１０が暫定定期券である場合、そのＩＣカード１０から読み取られた乗車券情報に含まれるカード識別情報を、改札機側通信部２４５を介してサーバ装置５００に送信する（ステップＳ３１４）。
【０１１７】
次に、通過可否判定部２５４は、改札機側通信部２４５によって、暫定定期券の通学定期券としての効力が有効であることを示す効力有効情報が、カード識別情報を送信してから所定時間内に受信されたか否かを判定し（ステップＳ３１６）、効力有効情報が所定時間内に受信されない場合、Ｓ３０８の処理に移り、ＳＦ処理として、電子マネーのチャージ残高が乗車区間の運賃以上であるか否かを判定する。
【０１１８】
一方、通過可否判定部２５４は、効力有効情報が所定時間内に受信された場合、ＩＣカード１０が翳された側のリーダライタを制御して、暫定定期券情報の各フラグを書き換える（ステップＳ３１８）。例えば、通過可否判定部２５４は、第１フラグを「１」から「０」に書き換え、第２フラグを「０」から「１」に書き換えることで、暫定定期券の通学定期券としての効力を有効にし、暫定定期券を通学定期券に更新する。これによって、このＩＣカード１０は、駅の窓口等でＩＣチップの情報を書き換えなくとも、初回利用時から暫定定期券を通学定期券として利用することができる。これによって、本フローチャートの処理が終了する。
【０１１９】
以上説明した少なくとも一つの実施形態によれば、通学定期として利用可能な効力が有効でない暫定定期券を発行する券売機１００と、暫定定期券を利用する利用者（例えば生徒）によって入力された第１通学証明情報５３２と、利用者の通学を証明する証明者（例えば教員）によって入力された第２通学証明情報５３４との照合結果に基づいて、暫定定期券の通学定期としての効力を有効にするか否かを判定する定期券効力判定部５２４と、定期券効力判定部５２４により、暫定定期券の通学定期としての効力を有効にすると判定された場合に、暫定定期券が翳された場合、暫定定期券を翳した利用者の通過を許可する自動改札機２００と、を備えることによって、生徒などは通学定期券をスムーズに購入することができる。
【０１２０】
また、上述した少なくとも一つの実施形態によれば、暫定定期券を自動改札機２００に翳し、その暫定定期券の通学定期としての効力が有効であれば、自動改札機２００が暫定定期券の効力フラグを書き換えるため、駅の窓口等で暫定定期券の効力を有効にする業務を省略することができる。この結果、駅員の駅務の負荷を低減することができる。
【０１２１】
また、上述した少なくとも一つの実施形態によれば、通学定期券としての効力が有効でない暫定定期券を一旦発行してから、その暫定定期券の効力を有効に書き換えるため、通学定期券の不正利用を抑制することができる。
【０１２２】
また、上述した少なくとも一つの実施形態によれば、サーバ装置５００が、生徒側から通学証明書に記載されるような通学証明情報を第１通学証明情報５３２として収集し、その第１通学証明情報５３２を、教員側の端末装置に提供し、教員に、生徒が申請した通学証明が正しいものであるのかを確認させるため、学校側が通学証明書を発行し、それを駅員が確認する作業を省略することができる。
【０１２３】
（実施形態の変形例）
以下、実施形態の変形例について説明する。上述した実施形態では、自動改札機２００が、暫定定期券の通学定期券としての効力を有効にし、暫定定期券を通学定期券に更新するものとして説明したがこれに限られない。例えば、生徒が、通学者側端末装置３００に接続されたＩＣカードリーダ／ライタを利用して、暫定定期券の効力を有効にしてもよい。この場合、例えば、サーバ装置５００のサーバ側通信制御部５２２は、データ管理部５２６によって、カード識別情報に対応付けられた第２フラグが「１」であると判定された場合、サーバ側通信部５０２に、効力有効情報を、通学者側端末装置３００に送信させる。これを受けて、通学者側端末装置３００は、サーバ装置５００から受信した効力有効情報を基に、ＩＣカードリーダ／ライタに挿入された暫定定期券の効力を有効にする。
【０１２４】
上記実施形態は、以下のように表現することができる。
自動改札機と、
通学定期として利用可能な効力が有効でない暫定定期券を発行する券売機と、
プログラムを格納するストレージと、
プロセッサと、を備え、
前記プロセッサは、前記プログラムを実行することによって、
前記暫定定期券を利用する利用者によって入力された通学証明に関する第１情報と、前記利用者の通学を証明する証明者によって入力された前記通学証明に関する第２情報との照合結果に基づいて、前記暫定定期券の前記効力を有効にし、
前記自動改札機は、前記プロセッサにより前記効力が有効にされた前記暫定定期券が翳された場合、前記暫定定期券を翳した利用者の通過を許可する、
ように構成されている駅務システム。
【０１２５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２６】
１…駅務システム、１０…ＩＣカード、１００…券売機、１１０…タッチパネル部、１２０…カード挿入口、１２２…紙幣投入口、１２４…硬貨投入口、１２６…乗車券排出口、１２８…釣銭排出口、１３０…リーダライタ、１３２…エンコード／デコード部、１３４…検銭部、１３６…乗車券発行部、１３８…釣銭部、１４０…券売機側通信部、１５０…券売機側制御部、１７０…券売機側記憶部、２００…自動改札機、２１１、２３１…リーダライタ、２１１ａ、２３１ａエンコード／デコード部、２１２、２３２…上面表示部、２１３、２３３…正面表示部、２１４、２１５、２３４、２３５…扉部、２４０…スピーカ、２４５…改札機側通信部、２５０…改札機側制御部、２７０…改札機側記憶部、３００…通学者側端末装置、４００…学校側端末装置、５００…サーバ装置、５０２…サーバ側通信部、５２０…サーバ側制御部、５３０…サーバ側記憶部
【図１】
2020042556.tif 000003
【図２】
2020042556.tif 000004
【図３】
2020042556.tif 000005
【図４】
2020042556.tif 000006
【図５】
2020042556.tif 000007
【図６】
2020042556.tif 000008
【図７】
2020042556.tif 000009
【図８】
2020042556.tif 000010
【図９】
2020042556.tif 000011
【図１０】
2020042556.tif 000012
【図１１】
2020042556.tif 000013
【図１２】
2020042556.tif 000014